(57)【特許請求の範囲】
【請求項１】
ケーブル（２４）が引き込まれるケーブル導入部（２５）と、
前記光ケーブルの光ファイバであるケーブル側光ファイバ（２６）とコネクタ接続される光ファイバ（２９ｂ）を収納するケース状のモジュール本体（２９ｆ）の側部に、前記ケーブル側光ファイバを前記モジュール本体内の光ファイバを介して前記モジュール本体の外側の光ファイバ（３３）とコネクタ接続するための光コネクタアダプタ（２９ａ）が取り付けられている光モジュール（２９）を複数横並びに収納する成端部（２８）とを具備し、
前記光モジュールは、前記モジュール本体の、前記光コネクタアダプタが設けられている一端部とは反対側の他端部に、前記モジュール本体に内蔵の前記光ファイバの光コネクタ（２９ｄ）によってコネクタ接続可能に成端された端部を、前記モジュール本体外側からの操作により引き出し可能に収納するコネクタ収納筒（２９ｅ）が前記他端部から斜め下方に突出状態に設けられ、
前記成端部は、上下の支持板（２８ｊ）の間に前記光モジュールを複数横並びに収納するモジュール収納領域（２８ｃ）と、該成端部の、前記モジュール収納領域を介して前後両側の内の一方の側であるケーブル側に設けられ、前記ケーブル側光ファイバが配線される樋状の配線部（２８ｅ）とを具備し、前記モジュール収納領域には、前記光モジュールが、前記光コネクタアダプタが設けられている一端部が前記成端部の前記ケーブル側とは反対の装置側、前記他端部が前記成端部の前記ケーブル側、となる向きで、前記成端部の前記ケーブル側に引き出し可能として収納され、
前記配線部には、前記モジュール収納領域において隣り合う前記光モジュール間の境界に対応する複数箇所に、前記配線部と前記光モジュールのコネクタ収納筒との間に配線される前記ケーブル側光ファイバを引き留めるガイド部品（２８ｆ）が設けられ、
前記配線部から前記光モジュールのコネクタ収納筒へ引き上げた前記ケーブル側光ファイバが、前記ガイド部品と前記コネクタ収納筒との間に斜めに配線されるようになっていることを特徴とする光配線盤。
【請求項２】
前記モジュール収納領域の上下の支持板に、外観薄板ケース状の前記モジュール本体を具備する前記光モジュールを縦置きに支持するためのフランジ（２８ｋ）が多数突設されていることを特徴とする請求項１記載の光配線盤。
【請求項３】
前記ガイド部品は、弾性素材からなる線材を湾曲成形してなり、前記ケーブル側光ファイバを台座（２８ｇ）との間に挟み込むようにして、取り出し可能に収納するものであることを特徴とする請求項１又は２記載の光配線盤。
【請求項４】
前記光モジュールは、前記コネクタ収納筒あるいはその近傍に、該コネクタ収納筒内に前記光ファイバ端部を引き留める引留手段（２９ｊ）を備えることを特徴とする請求項１〜３のいずれかに記載の光配線盤。
【請求項５】
前記光モジュールは、前記光ファイバ端部の光コネクタと、前記光ファイバに接続される別の光ファイバ（２６）先端の光コネクタ（２６ａ）とを、互いに接続状態を維持したまま収納できるコネクタケース（２９ｈ）が、前記コネクタ収納筒内に引き出し可能に収納されることを特徴とする請求項１〜４のいずれかに記載の光配線盤。
【発明の詳細な説明】
【０００１】
【発明の属する技術分野】
本発明は、光ファイバを光コネクタアダプタによって、別の光ファイバとコネクタ接続可能に成端する光モジュールに係り、特に、成端すべき光ファイバが、ケース状のモジュール本体内に収納した光ファイバと接続することで、前記光コネクタアダプタと接続されるようになっている光モジュールを適用した光配線盤に関するものである。
【０００２】
【従来の技術】
例えば、外線光ケーブルの多数本の光ファイバに対して、伝送装置側の光ファイバを分岐接続する光配線盤のように、多数本の光ファイバ同士を切替可能に接続する光配線盤にあっては、光ファイバの余長処理作業、切替接続の作業性、対応心数の増大等に鑑みて、光モジュールを使用するものが提供されている。前記光モジュールは、外観薄板ケース状であることが普通であり、横並びに複数配列して収納される。また、各光モジュールは、一側部に取り付けられた光コネクタアダプタによって、光ファイバをコネクタ接続可能に成端し、前記光ファイバの余長を内部に収納するようになっている。前記光コネクタアダプタに、外側から別の光ファイバをコネクタ接続することで、光ファイバ同士が接続される。
【０００３】
図１１は、この種の光モジュール１の一例を示す。
図１１において、光モジュール１は、外観薄板ケース状のモジュール本体２と、このモジュール本体２の一端部に取り付けられた光コネクタアダプタ３とを備えている。モジュール本体２内に収納された光ファイバ５は、例えば、４心、８心等の多心光ファイバであり、一端が、光コネクタ４によってコネクタ接続可能に成端され、他端が単心分岐されて、それぞれ光コネクタアダプタ３に接続される。前記光コネクタアダプタ３に対向するモジュール本体２他端部には、光ファイバ穴６が開口され、この光ファイバ穴６からモジュール本体２内に導入された光ファイバ７の、予め光コネクタ７ａによって成端された端部が、前記光ファイバ５に対して着脱可能にコネクタ接続される。前記光コネクタアダプタ３に、外側から別の光ファイバ８がコネクタ接続されると、光ファイバ５を介して光ファイバ７、８同士が光接続される。
【０００４】
【発明が解決しようとする課題】
ところで、図１１に示した光モジュール１にて、光ファイバ５、７同士を接続するには、モジュール本体２側部の蓋９を開放して光ファイバ５を取り出し、光ファイバ７との接続作業を行った後、光コネクタ４、７ａとともに光ファイバ５、７の接続余長を、モジュール本体２内に収納する。
しかしながら、蓋９を開放して作業を行うには、光配線盤等の内部の所定の収納位置から光モジュール１を取り出し、接続された光コネクタ４、７ａ等の収納作業の完了後、光モジュール１を光配線盤の目的の収納位置に収納する作業が必要である。光モジュール１を収納位置から取り出したり、再収納する際には、隣接する別の光モジュール１や、近隣に配線された光ファイバとの接触等を回避して、振動が光通信に悪影響を与えないようにするべく、細心の注意を払いつつ作業を行う必要があり、作業性を向上できない不満があった。また、光モジュール１からの光ファイバ５の取り出し、再収納の作業自体も、モジュール本体２から一旦取り出した光ファイバ５の余長処理に手間がかかるといった不満がある。
【０００５】
本発明は、前述の課題に鑑みてなされたもので、（１）モジュール本体を開放したり移動すること無く、モジュール本体内の光ファイバと別の光ファイバとの接続を簡単に行うことができる、（２）モジュール側の光ファイバをモジュール本体から一旦引き出しても、そのコネクタ成端された端部を、モジュール本体を開放すること無く、コネクタ収納筒内に簡単に収納、保護できる光モジュールを適用した光配線盤を提供することを目的とするものである。
【０００６】
【課題を解決するための手段】
本発明は、前記課題を解決するため、以下の構成を採用した。
すなわち、本発明では、ケーブルが引き込まれるケーブル導入部と、前記光ケーブルの光ファイバであるケーブル側光ファイバとコネクタ接続される光ファイバを収納するケース状のモジュール本体の側部に、前記ケーブル側光ファイバを前記モジュール本体内の光ファイバを介して前記モジュール本体の外側の光ファイバとコネクタ接続するための光コネクタアダプタが取り付けられている光モジュールを複数横並びに収納する成端部とを具備し、前記光モジュールは、前記モジュール本体の、前記光コネクタアダプタが設けられている一端部とは反対側の他端部に、前記モジュール本体に内蔵の前記光ファイバの光コネクタによってコネクタ接続可能に成端された端部を、前記モジュール本体外側からの操作により引き出し可能に収納するコネクタ収納筒が前記他端部から斜め下方に突出状態に設けられ、前記成端部は、上下の支持板の間に前記光モジュールを複数横並びに収納するモジュール収納領域と、該成端部の、前記モジュール収納領域を介して前後両側の内の一方の側であるケーブル側に設けられ、前記ケーブル側光ファイバが配線される樋状の配線部とを具備し、前記モジュール収納領域には、前記光モジュールが、前記光コネクタアダプタが設けられている一端部が前記成端部の前記ケーブル側とは反対の装置側、前記他端部が前記成端部の前記ケーブル側、となる向きで、前記成端部の前記ケーブル側に引き出し可能として収納され、前記配線部には、前記モジュール収納領域において隣り合う前記光モジュール間の境界に対応する複数箇所に、前記配線部と前記光モジュールのコネクタ収納筒との間に配線される前記ケーブル側光ファイバを引き留めるガイド部品が設けられ、前記配線部から前記光モジュールのコネクタ収納筒へ引き上げた前記ケーブル側光ファイバが、前記ガイド部品と前記コネクタ収納筒との間に斜めに配線されるようになっていることを特徴とする光配線盤を提供する。
請求項２記載の発明は、請求項１記載の光配線盤において、前記モジュール収納領域の上下の支持板に、外観薄板ケース状の前記モジュール本体を具備する前記光モジュールを縦置きに支持するためのフランジが多数突設されていることを特徴とする。
請求項３記載の発明は、請求項１又は２記載の光配線盤において、前記ガイド部品は、弾性素材からなる線材を湾曲成形してなり、前記ケーブル側光ファイバを台座との間に挟み込むようにして、取り出し可能に収納するものであることを特徴とする。
請求項４記載の発明は、請求項１〜３のいずれかに記載の光配線盤において、前記コネクタ収納筒あるいはその近傍に、該コネクタ収納筒内に前記光ファイバ端部を引き留める引留手段を備えることを特徴とする。
請求項５記載の発明は、請求項１〜５のいずれかに記載の光配線盤において、前記光ファイバ端部の光コネクタと、前記光ファイバに接続される別の光ファイバ先端の光コネクタとを、互いに接続状態を維持したまま収納できるコネクタケースが、前記コネクタ収納筒内に引き出し可能に収納されることを特徴とする。
【０００７】
この発明によれば、モジュール本体内に収納された光ファイバのコネクタ成端された端部を、コネクタ収納筒から引き出せば、この光ファイバに別の光ファイバをコネクタ接続したり、接続を解除できる。接続あるいは接続解除の作業後、コネクタ収納筒からモジュール本体へ光ファイバを押し込み、最終的に、光コネクタをコネクタ収納筒内に収納すれば、モジュール本体を開放すること無く、光ファイバや光コネクタを簡単に収納できる。コネクタ収納筒内には、モジュール側の光ファイバ先端の光コネクタとともに、モジュール側光ファイバ端部にコネクタ接続した別の光ファイバの光コネクタをも接続状態を保ったまま収納する。
請求項４記載の発明では、引留手段によって、光ファイバ端部を引き留めるため、光ファイバ端部が、自重等によって、コネクタ収納筒から不用意に飛び出すことを防止できる。なお、引留手段としては、光ファイバをクランプするもの、光コネクタと係合したりクランプするもの等、各種構成が採用可能である。
請求項５記載の発明では、コネクタ収納筒から引き出し可能なコネクタケースに光コネクタを収納することで、コネクタ収納筒内での引っ掛かり等を防止して、光コネクタの引き出し、収納を円滑に行うことができる。また、コネクタケースは、接続状態の光コネクタの対を収納できるため、接続後の光コネクタの収納作業を効率良く行うことができる。
【０００８】
【発明の実施の形態】
以下、本発明の一実施の形態を、図面を参照して説明する。この実施の形態では、本発明に係る光モジュールは、光配線盤内にて、光ケーブル端末から引き出された光ファイバ先端をコネクタ接続可能に成端する光モジュールとして具現化されている。まず、光配線盤を説明する。図１（ａ）、（ｂ）および図２は、光配線盤２０を示す図であって、図１（ａ）は装置側を示す正面図、図１（ｂ）は図１（ａ）のＡ−Ａ線断面矢視図、図２はこの光配線盤２０のケーブル側を示す背面図（但し、図２は、図１に比べて拡大して表示している）である。これら図において、この光配線盤２０は、成端架体２１と、装置側架体２２と、これら両架体２１、２２の中間に配置された中継架体２３とを備えて構成されている。中継架体２３のケーブル側（図１（ａ）紙面奥行き側、図２紙面手前側）上部のケーブル導入部２５には、外線側の光ケーブル２４が引き込まれて固定される。この光ケーブル２４端末から引き出されたケーブル側光ファイバ２６は、同じく中継架体２３ケーブル側にて前記ケーブル導入部２５の下方に設けられている余長収納部２７内に垂らすようにして、余長が湾曲収納される。ケーブル側光ファイバ２６の先端は、成端架体２１ケーブル側から、この成端架体２１内に上下に多段に設けられた成端部２８の内の目的のものに引き込まれ、この成端部２８内に複数収納された光モジュール２９に内蔵の光ファイバ２９ｂ（図５参照。以下、モジュール側光ファイバ）と接続される。ケーブル側光ファイバ２６の余長は、各成端部２８毎に設けられた余長収納ボックス３０内にも収納され、目的の光モジュール２９までの配線長が調整される。この余長収納ボックス３０は、上方開口されているため、余長の収納や、取り出しの作業性に優れている。
【０００９】
図３は光モジュール２９を示す側面図、図５は光モジュール２９を示す斜視図である。図３および図５に示すように、光モジュール２９は、外観薄板状のケースであり、図１（ａ）および図２に示すように、成端部２８に横並びに多数配列収納されている。各成端部２８では、成端架体２１装置側（図１（ａ）紙面手前側、図３中右側）に、各光モジュール２９一端部に取り付けられた光コネクタアダプタ２９ａが配列される。光コネクタアダプタ２９ａは、多連であり、それぞれ、モジュール側光ファイバ２９ｂを介してケーブル側光ファイバ２６と接続される（図５参照）。
なお、光モジュール２９の構成は、さらに、後述にて詳細に説明する。
ケーブル側光ファイバ２６としては、本実施の形態では、多心の光ファイバ心線や光コードが採用される。なお、単心の光ファイバ心線や光コード等も採用可能である。また、ケーブル側光ファイバ２６は、余長収納ボックス３０に到達するまでは、スパイラルチューブ等により補強した上、中継架体２３内に引き回すことが普通である。
【００１０】
図５に示すように、多心のケーブル側光ファイバ２６と、同じく多心のモジュール側光ファイバ２９ｂとの間は、それぞれの端部を成端する光コネクタ２６ａ、２９ｄ同士の接続によって、着脱可能に接続される。モジュール側光ファイバ２９ｂは、光コネクタ２９ｄとは逆側の端部が、単心分岐して、光コネクタアダプタ２９ａと接続されているから、これにより、ケーブル側光ファイバ２６が、モジュール側光ファイバ２９ｂを介して、単心分岐して、光コネクタアダプタ２９ａに接続される。両光ファイバ２６、２９ｂを接続した光コネクタ２６ａ、２９ｄは、光モジュール２９の、前記光コネクタアダプタ２９ａに対向する他端部から突出状態に設けられたコネクタ収納筒２９ｅ内に収納される。光コネクタ２６ａ、２９ｄとしては、例えば、ＪＩＳ  Ｃ  ５９８１に制定されるＭＴ形光コネクタ（Mecanically Transferable）等が採用される。なお、光ファイバ２６、２９ｂが単心光ファイバである場合も、ＭＴ形光コネクタを適用することが可能であるが、例えば、ＪＩＳ  Ｃ  ５９７３に制定されるＳＣ形光コネクタ（Single fiber Coupling optical fiber connector）等を採用することも可能である。  ケーブル側光ファイバ２６としては、先端が光コネクタによって成端されていないものも存在するが、これは、モジュール側光ファイバと融着接続し、融着接続部を接続余長とともに、モジュール本体２９ｆ内に収納する。
なお、モジュール本体２９ｆの一端部、他端部とは、いずれも、モジュール本体２９ｆ側部の一部を差すものである。
【００１１】
一方、図１に示すように、装置側架体２２では、伝送装置と接続された局内光ケーブルである装置側光ケーブル３１が、当該装置側架体２２上部に設けられた装置側導入部３２に導入され、固定用治具４９ｃ（図１（ｂ）参照）により固定される。この装置側光ケーブル３１端末から引き出された装置側光ファイバ３３は、単心光コードであることが一般的であり、装置側導入部３２の受け棚３２ａから装置側架体２２の側壁部２２ａ内面側に沿って確保した湾曲収納部２２ｂへ引き落とされ、そこから、装置側架体２２下部にて上下に多段に設けられた余長吸収棚３４を経由して、中継架体２３装置側の配線部２３ａに引き込まれ、さらに、成端架体２１装置側から目的の成端部２８に引き込まれ、図３に示すように、光コネクタ３５によってコネクタ成端された先端が、光コネクタアダプタ２９ａに切替可能に接続されるようになっている。図１（ａ）に示すように、中継架体配線部２３ａ内では、接続先の成端部２８と余長吸収棚３４との間にて、装置側光ファイバ３３に確保した余長３３ａを、下方へ垂らすようにして配線することで湾曲吸収する。
図３中、符号２８ａは、光モジュール２９に接続される装置側光ファイバ３３等の光ファイバを収納する光ファイバ収納樋、２８ｂはコードサドルである。
【００１２】
装置側光ファイバ３３は、光コードであるから、装置側導入部３２から成端部２８に亘って、自由に湾曲させつつ配線することができ、また、光コネクタアダプタ２９ａに対する切替接続を行っても、傷める心配が無い。
装置側光ファイバ３３先端の光コネクタ３５や光コネクタアダプタ２９ａとしては、ＳＣ形光コネクタが採用される。なお、これら光コネクタ３５、光コネクタアダプタ２９ａとしては、多心では、着脱の簡便なプッシュオン形のものを採用することが好ましく、例えば、ＪＩＳ  Ｃ  ５９８２に制定されるＭＰＯ形光コネクタ（Multifiber Push On）等が採用される。これにより、多心の装置側光ファイバ３３の採用が可能となり、多心化、高密度化に寄与する。
【００１３】
図１（ａ）、（ｂ）および図４に示すように、前記余長吸収棚３４は、斜めに傾斜して設けられた底板３４ａと、この底板３４ａ上に設けられ、装置側光ファイバ３３を取り出し可能にクランプする一対のクランプ部３４ｂと、このクランプ部３４ｂ間にて、前記底板３４ａ上に上下に多段（図４中では、３段）に配置して取り付けられたＲガイド３４ｃとを備えて構成され、装置側光ファイバ３３を、前記Ｒガイド３４ｃを適宜利用して、底板３４ａ上にＵ字形やＳ字形等に湾曲配線することで、余長を吸収できる。また、余長吸収棚３４は上方が開放されており、装置側光ファイバ３３の取り出し、再収納が容易であるから、光モジュール２９に対して装置側光ファイバ３３の切替接続に伴って配線ルートに変更が生じたり、余長の処理量が変化しても、装置側光ファイバ３３をいずれかの余長吸収棚３４に対して配線し直すことで容易に対応できる。
【００１４】
成端架体２１の下部に設けられた未接続処理ユニット３６は、何処にも接続されていない、未接続の装置側光ファイバ３３先端を収納する。
未接続処理ユニット３６近傍には、パルス試験器（いわゆるＯＴＤＲ）を内蔵する試験装置３７（図１中「ＦＴＵ」）、心線選択装置３８（図２中、「ｆｓ」）が設けられている。ケーブル側光ファイバ２６に係る目的の光線路の断線等を試験するには、例えば、光モジュール２９内に光カプラを内蔵して、この光カプラを介してケーブル側光ファイバ２６と試験用光ファイバ２９ｃ（図３参照中仮想線）とを接続し、この試験用光ファイバ２９ｃの光モジュール２９外側へ引き出された先端を、各成端部２８上に配置したユニット状の接続部３９に、コネクタ接続する。前記接続部３９は、図示しない接続ケーブルを介して心線選択装置３８と接続されている。この接続部３９には、該当の成端部２８内の全ての光モジュール２９に係る試験用光ファイバ２９ｃの接続を可能とする対応心数が確保されることが普通であり、心線選択装置３８における光ファイバの選択を１心ずつ切り替えつつ、試験装置３７から試験光を入射することで、多数の光ケーブル２４側の多数の光線路について、断線等を順次監視できる。光コネクタアダプタ２９ａに装置側光ファイバ３３が接続されていれば、装置側の光ファイバ線路についても、同様に、光カプラを介して断線等を監視できる。
図５に示すように、試験用光ファイバ２９ｃは、コネクタ収納筒２９ｅ近傍にて、光モジュール２９のモジュール本体２９ｆに開口された光ファイバ穴２９ｇから引き出される。
なお、試験が不要な場合には、光モジュール２９に光カプラや試験用光ファイバ２９ｃを設ける必要は無く、省略することができる。
【００１５】
図１（ａ）、（ｂ）中、４０は、スプリッタモジュール収納部であり、外観薄板ケース状のスプリッタモジュール４１を横並びに複数枚収納している。このスプリッタモジュール４１は、装置側架体２２装置側（図１（ａ）中紙面手前）に向けられた光コネクタアダプタ４２には、装置側光ファイバ３３が接続される。このスプリッタモジュール４１の前記光コネクタアダプタ４２近傍の開口部４６から引き出された複数本の光ファイバ４５（例えば、単心光コード。以下、「スプリッタコード」）は、中継架体２３を経由して、目的の光モジュール２９の光コネクタアダプタ２９ａに対して切替可能に接続される。これにより、光コネクタアダプタ４２に接続された装置側光ファイバ３３を、このスプリッタモジュール４１に内蔵の光スプリッタを介して、複数本のケーブル側光ファイバ２６と、例えば、１対４や、１対８等に分岐接続することができる。スプリッタコード４５は、それぞれ、中継架体配線部２３ａ内に上下に多段に設けられたコードダクト２３ｂを利用して成端部２８内に引き込まれる。
【００１６】
図１（ａ）中、ジャンパコード４８は、光モジュール２９間を接続する。これにより、ジャンパコード４８を介して、ケーブル側光ファイバ２６同士が接続される。このジャンパコード４８の両端は、それぞれ、装置側光ファイバ３３の光コネクタ３５や、スプリッタコード４５の光コネクタと同様の構成の光コネクタ（図示せず）によって、各光モジュール２９の光コネクタアダプタ２９ａに対して切替可能に接続される。
図１（ａ）中、符号４９ａ、４９ｂは、架間ジャンパコード収納棚である。この架間ジャンパコード収納棚４９ａ、４９ｂから、光配線盤２０内に引き込まれたジャンパコードも、光モジュール２９の光コネクタアダプタ２９ａ、スプリッタモジュール４１の光コネクタアダプタ４２に切替可能にコネクタ接続できるようになっている。
【００１７】
図５に示すように、光モジュール２９は、外観薄板ケース状のモジュール本体２９ｆを備え、このモジュール本体２９ｆ内に収納したモジュール側光ファイバ２９ｂと、モジュール本体２９ｆの一端部（図５中紙面奥側）に取り付けられた光コネクタアダプタ２９ａとを備えている。前記モジュール本体２９ａの他端部（図５中紙面手前側）に突出状態に設けられたコネクタ収納筒２９ｅには、光コネクタ２９ｄによってコネクタ接続可能に成端された光ファイバ２９ｂ端部を収納している。
モジュール本体２９ｆやコネクタ収納筒２９ｅは、例えば、プラスチックなどの樹脂等から形成される。
【００１８】
コネクタ収納筒２９ｅは、例えば図５に示したように、断面矩形の筒状であり、図示しない固定手段により、突出方向先端の開口部２９ｍがやや下向きとなるように傾斜させて、モジュール本体２９ｆに固定されている。
このコネクタ収納筒２９ｅ内に収納されたコネクタケース２９ｈは、コネクタ収納筒２９ｅの開口部２９ｍから引き出し、再収納可能である。このコネクタケース２９ｈは、コネクタ収納筒２９ｅ内に貫通させて設けられた長尺のロッド部２９ｉと、このロッド部２９ｉ下端にて、対をなすように突設された保持爪２９ｎとを備える。前記保持爪２９ｎの間には、接続状態の光コネクタ２９ｄ、２６ａを着脱自在に保持することができ、接続状態を安定に維持できる。コネクタケース２９ｈに保持された両光コネクタ２６ａ、２９ｄからそれぞれ引き出されている光ファイバ２６、２９ｂは、各保持爪２９ｎに形成された光ファイバ挿通用のスリット２９ｓに挿通される。
【００１９】
このコネクタケース２９ｈは、光コネクタ２９ｄ、２６ａによってモジュール側光ファイバ２９ｂと接続されているケーブル側光ファイバ２６を引っ張るか、あるいは、コネクタ収納筒開口部２９ｍに露出させておいた、コネクタケース２９ｈ下端の保持爪２９ｎを引っ張ることで、コネクタ収納筒２９ｅから簡単に引き出すことができる。また、このコネクタケース２９ｈは、前記ロッド部２９ｉ上部に設けられている図示しない係合部が、コネクタ収納筒２９ｅの上部ストッパ２９ｊと係脱可能に係合することで、コネクタ収納筒２９ｅ内に保持爪２９ｎ近傍を収納した状態が維持され、前記ロッド部２９ｉの別の係合部が下部ストッパ２９ｋと係合することで、それ以上の引き出しが規制される。コネクタケース２９ｈは、接続状態の光コネクタ２９ｄ、２６ａでは無く、光コネクタ２９ｄのみを保持した場合でも、コネクタ収納筒２９ｅ内壁によって光コネクタ２９ｄが押さえ込まれることで、コネクタケース２９ｈからの離脱を防止する。上部ストッパ２９ｊは、光ファイバ２９ｂ端部をコネクタ収納筒２９ｅ内に引き留める引留手段として機能する。
【００２０】
なお、コネクタ収納筒としては、前述の構成に限定されず、コネクタケース２９ｈを有していなくても、外側からの操作により、光ファイバ２９ｂ端部を引き出し可能に収納する構造も採用可能である。すなわち、側部に作業者が指や工具を挿入できるスリットを有する構造や、モジュール本体２９ｆに対して着脱可能な構成も採用可能である。
図５中、符号２９ｏは、光モジュール２９を成端架体２１ケーブル側へ引き出すための引出用突片、符号２９ｐは、成端部２８に設けられた係合片２８ｄに係脱可能に係合するラッチ、符号２９ｑは、開閉自在の蓋である。図３中、この光モジュール２９は、下部に取り付けられたガイド片２９ｒを、成端部２８の図示しないガイド溝に、ケーブル側から挿入して位置決めしつつ、成端部２８に挿入され、ガイド片２９ｒが前記ガイド溝の最奥部に突き当たることで挿入が停止し、ラッチ２９ｐが係合片２８ｄに係合して、引き抜きが規制される。ラッチ２９ｐを変形させ（図５中下方へ押圧変形する）、係合片２８ｄとの係合を解除すると、成端部２８からケーブル側（ケーブル側）へ光モジュール２９を抜き出すことができる。
【００２１】
図３中、符号２８ｅは、ケーブル側光ファイバ２６が配線される樋状の配線部、２８ｆは、配線部２８ｅ内の複数個所に設けられたガイド部品、２８ｉは、配線部２８ｅに引き込まれる光ファイバ２６を着脱自在に保持するクランプである。モジュール収納領域２８ｃは、前記配線部２８ｅに沿って延在している。
図６は、成端部２８を成端架体２１ケーブル側から見た背面図、図７は、成端部２８を示す平面図、図８は、光モジュール２９近傍を示す側面図である。
図６、図７、図８に示すように、前記ガイド部品２８ｆは、金属や樹脂等の弾性素材からなる線材を湾曲成形したものであり、台座２８ｇとの間にケーブル側光ファイバ２６を挟み込むようにして引き留める。また、このガイド部品２８ｆは、モジュール収納領域２８ｃに向けられた開口部２８ｈ（図８参照）を介して、光ファイバ２６を取り出したり、収納したりすることができる。
なお、コネクタケースとしては、前述の構成に限定されず、各種形状のコネクタ収納筒に対して、引き出し、再収納が容易な各種構成を採用できる。例えば、コネクタ収納筒に対する、引き出し、収納操作用のツマミを別途備える構成も採用可能である。この時、操作用のツマミが、コネクタ収納筒開口部から突出する構成や、コネクタ収納筒側部から突出する構成等、各種構成が採用可能である。
【００２２】
図６および図７に示すように、光モジュール２９は、モジュール収納領域２８ｃに垂直に立てて横並びに複数収納され、隣接するモジュール本体２９ｆ間の境界が、前記配線部２８ｅ内の複数箇所に設けられたガイド部品２８ｆ近傍に位置される。コネクタ収納筒２９ｅは、各モジュール本体２９ｆの前記配線部２８ｅに臨む側面、すなわちモジュール本体２９ｆ他端部上部から突設されているから、配線部２８ｅからコネクタ収納筒２９ｅへ引き上げたケーブル側光ファイバ２６は、前記ガイド部品２８ｆに係脱可能に係合して引き留められ、このガイド部品２８ｆと、前記コネクタ収納筒２８ｅの突出方向先端の開口部２９ｍとの間に配線される。ここで、ガイド部品２８ｆは、コネクタ収納筒２９ｅの直下ではなく、隣接するモジュール本体２９ｆ間の境界に位置するため、ガイド部品２８ｆとコネクタ収納筒開口部２９ｍとの間に亘って配線されるケーブル側光ファイバ２６は、垂直では無く、斜めに配線されることとなる。
なお、図６では、光モジュール２９は、モジュール収納領域２８ｃの上下両側に設けられた支持板２８ｊから多数突設されたフランジ２８ｋ間に挿入することで、縦置きに安定支持される。
【００２３】
図８、図９、図１０は、ケーブル側、モジュール側の両光ファイバ２６、２９ｂの接続作業を示す。
この作業では、まず、図８に示すように、コネクタ収納筒２９ｅからコネクタケース２９ｈを引き出し、モジュール本体２９ｆ内に確保した余長を引出余長として機能させて、光コネクタ２９ｄ付きの光ファイバ２９ｂ端部を引き出して、作業台上や、専用の切替装置（ＭＴ形光コネクタの接続機）に引き込み、ケーブル側光ファイバ２６先端とコネクタ接続する。接続作業が完了したら、モジュール側光ファイバ２９ｂをコネクタ収納筒２９ｅからモジュール本体２９ｆ内に押し込んで余長を戻し、図９に示すように、光コネクタ２６ａ、２９ｄを、接続状態を維持したまま、コネクタケース２９ｈの保持爪２９ｎ間に挟み込む。次いで、図１０に示すように、コネクタケース２９ｈをコネクタ収納筒２９ｅに押し込み、接続作業の全体を完了する。
【００２４】
したがって、この光モジュール２９によれば、蓋２９ｑを開放すること無く、光ファイバ２６、２９ｂ同士を接続できるので、光モジュール２９をモジュール収納領域２８ｃから取り出す必要が無く、全く移動すること無く、簡単に作業を行うことができる。このため、光モジュール２９の取り出しに伴って、隣接する光モジュール２９や、光ファイバ等に与える振動等の悪影響を解消でき、短時間で円滑に作業を進めることができる。
また、この光モジュール２９を適用した光配線盤２０では、途中にジャンパコードを介在させること無く、装置側光ファイバ３３や、スプリッタコード４５を、直接、光コネクタアダプタ２９ａに接続するようになっているので、ジャンパコードが介在する時に比べて、ケーブル側光ファイバ２６との対照が容易であり、光モジュール２９へのケーブル側光ファイバ２６の接続数の増減に伴う切替接続作業も、迅速、かつ、確実に行うことができる。
なお、装置側光ファイバ３３は、光コネクタアダプタ２９ａに対して切替接続すると、処理すべき余長が変動することがあるが、余長吸収棚３４内における配線量の調整や、中継架体配線部２３ａ内での余長吸収量の調整によって容易に対応できる。
【００２５】
一方、光モジュール２９内の作業を行うには、モジュール本体２９ｆの開閉を伴うため、光モジュール２９をモジュール収納領域２８ｃから取り出す必要がある。この場合、光モジュール２９を、配線部２８ｅ方向に引き出す。図６および図７に示すように、モジュール側光ファイバ２９ｂとコネクタ接続されたケーブル側光ファイバ２６は、コネクタ収納筒２９ｅから垂直下方では無く、コネクタ収納筒開口部２９ｍからガイド部品２８ｆまで、斜めに引き落とされているため、光モジュール２９を引き出しても、モジュール本体２９ｆ（特にその他端部）に対して逃げやすい上、モジュール本体２９ｆと干渉しない位置に湾曲させて退避させることも容易であり、引っ掛かりを容易に防止できる。さらに、コネクタ収納筒２９ｅが、モジュール本体２９ｆから突出されているため、ガイド部品２８ｆとコネクタ収納筒開口部２９ｍとの間に配線された光ファイバ２６は、モジュール本体２９ｆとの間にクリアランスを確保しやすいことも、モジュール２９引き出し時の引っ掛かり防止に寄与する。
【００２６】
なお、ケーブル側光ファイバ２６が、コネクタ収納筒２９ｅから垂直下方に引き落とされている場合では、モジュール本体２９ｆとの干渉を回避するべく、光ファイバ２６を湾曲させようとしても、湾曲半径が極端に小さくなったり、光モジュール２９の引き出しを中断して、一旦、収納領域２８ｃに戻してから、光ファイバ２６を湾曲させる必要が生じるが、本発明に係る構造では、光ファイバ２６の湾曲半径を確保することは容易であり、引き出し作業のやり直しの必要もほとんど無い。
また、図５に示すように、光ファイバ穴２９ｇから引き出される試験用光ファイバ２９ｃは、垂直上方へ引き上げて、接続部３９と接続することが一般的であるため、ガイド部品２８ｆとコネクタ収納筒開口部２９ｍとの間に斜めに配線された光ファイバ２６とは干渉しにくく、絡みを生じにくいといった利点もある。
【００２７】
なお、本発明は、前記した実施の形態に限定されず、各種変更が可能である。例えば、この光モジュールの適用対象は、前記実施の形態に記載以外の構成の光配線盤であっても良く、また、光配線盤以外、光接続箱等であっても良い。
光モジュール内には、光カプラや光スプリッタ等の各種光部品を収納することが可能である。
この光モジュールに収納される光ファイバや、このモジュール側光ファイバに接続される光ファイバの心数は、多心、単心のいずれでも良い。この場合、光コネクタアダプタや、モジュール内に収納される光部品の収納数や対応心数等も、光ファイバの心数に適合されることは言うまでも無い。
光モジュールのモジュール本体等の形状は、薄板ケース状に限定されず、適宜変更可能である。また、光コネクタアダプタや、コネクタ収納筒の取り付け位置は、モジュール本体の対向する両側である必要は無く、モジュール本体の同一の側面に、互いに接近させることも可能である。
【００２８】
【発明の効果】
以上説明したように、本発明によれば、モジュール本体から突出されたコネクタ収納筒から、光コネクタ付きの光ファイバ端部を引き出すだけで、モジュール本体を開放すること無く、この光ファイバに対する別の光ファイバのコネクタ接続や接続解除を簡単に行うことができる。しかも、光ファイバをコネクタ収納筒に押し込むだけで、モジュール本体を開放すること無く、光コネクタ付きの光ファイバ端部を簡単に収納でき、接続状態の光コネクタをコネクタ収納筒内に収納保護できるといった優れた効果を奏する。
光モジュール内の作業を行うために、光モジュールを、配線部方向に引き出す場合は、モジュール本体に内蔵の光ファイバとコネクタ接続されたケーブル側光ファイバは、コネクタ収納筒から垂直下方では無く、コネクタ収納筒開口部からガイド部品まで、斜めに引き落とされているため、光モジュールを引き出しても、モジュール本体（特にその他端部）に対して逃げやすい上、モジュール本体と干渉しない位置に湾曲させて退避させることも容易であり、引っ掛かりを容易に防止できる。さらに、コネクタ収納筒が、モジュール本体から突出されているため、ガイド部品とコネクタ収納筒開口部との間に配線された光ファイバは、モジュール本体との間にクリアランスを確保しやすいことも、モジュール引き出し時の引っ掛かり防止に寄与する。
請求項４記載のように、前記コネクタ収納筒あるいはその近傍に、該コネクタ収納筒内に前記光ファイバ端部を引き留める引留手段を備えると、光ファイバ端部がコネクタ収納筒から不用意に飛び出すことを防止でき、光コネクタ付きの光ファイバ端部を確実に収納保護できるといった優れた効果を奏する。
請求項５記載のように、前記光ファイバ端部の光コネクタと、前記光ファイバに接続される別の光ファイバ先端の光コネクタとを、互いに接続状態を維持したまま収納できるコネクタケースが、前記コネクタ収納筒内に引き出し可能に収納されていると、光コネクタのコネクタ収納筒内での引っ掛かり等を防止して、光ファイバ端部の引き出し、収納を円滑に行うことができる。また、コネクタケースは、接続状態の光コネクタの対を収納できるため、接続後の光コネクタの収納作業を効率良く行うことができるといった優れた効果を奏する。
【図面の簡単な説明】
【図１】  本発明の一実施の形態の光モジュールが適用される光配線盤を示す図であって、（ａ）は装置側を示す正面図、（ｂ）は（ａ）のＡ−Ａ線断面矢視図である。
【図２】  図１の光配線盤を示す背面図である。
【図３】  本発明の一実施の形態の光モジュールを示す側面図である。
【図４】  図１の光配線盤に適用される余長吸収棚を示す斜視図である。
【図５】  本発明の一実施の形態の光モジュールを示す斜視図である。
【図６】  図５の光モジュールの成端部での収納状態を示す図であって、成端架体ケーブル側から見た背面図である。
【図７】  図１の光配線盤の成端部を示す平面図である。
【図８】  図５の光モジュールにおけるモジュール側光ファイバとケーブル側光ファイバとの接続作業を示す図であって、コネクタ収納筒から、モジュール側光ファイバ端部の光コネクタを引き出す工程を示す工程図である。
【図９】  図５の光モジュールにおけるモジュール側光ファイバとケーブル側光ファイバとの接続作業を示す図であって、コネクタ収納筒から引き出したコネクタケースに、光ファイバ同士を接続する光コネクタを収納保持する工程を示す工程図である。
【図１０】  図５の光モジュールにおけるモジュール側光ファイバとケーブル側光ファイバとの接続作業を示す図であって、接続状態の光コネクタを収納保持したコネクタ収納ケースを、コネクタ収納筒に押し込み収納する工程を示す工程図である。
【図１１】  従来例の光モジュールを示す斜視図である。
【符号の説明】
２６…光ファイバ（ケーブル側光ファイバ）、２６ａ…光コネクタ、２９…光モジュール、２９ａ…光コネクタアダプタ、２９ｂ…モジュール本体内に収納された光ファイバ（モジュール側光ファイバ）、２９ｄ…光コネクタ、２９ｅ…コネクタ収納筒、２９ｆ…モジュール本体、２９ｈ…コネクタケース、２９ｉ…引留手段（上部ストッパ）。
【図１】
0003819171.tif 000002
【図２】
0003819171.tif 000003
【図３】
0003819171.tif 000004
【図４】
0003819171.tif 000005
【図５】
0003819171.tif 000006
【図６】
0003819171.tif 000007
【図７】
0003819171.tif 000008
【図８】
0003819171.tif 000009
【図９】
0003819171.tif 000010
【図１０】
0003819171.tif 000011
【図１１】
0003819171.tif 000012